(57)【要約】【課題】ハードカバーとソフトカバーとの中間の可撓性を有し、携帯端末のスライドスイッチの操作性を向上でき、かつデザインの自由度を向上した携帯端末用カバーを提供する。【解決手段】少なくとも側面にスライドスイッチを有する携帯端末の少なくとも側面を覆うための携帯端末用カバーは、携帯端末に被着された際に側面に対して最外周に配置される可撓性を有する外周部と、携帯端末に被着された際に外周部から、側面の少なくともスライドスイッチに向かって突出し、スライドスイッチの操作つまみを間に挟みこんでこのスライドスイッチをスライド方向に移動可能とする可撓性を有する１対の操作片とを備えている。【選択図】図１
2014107576.tif 000002
【特許請求の範囲】
【請求項１】
少なくとも側面にスライドスイッチを有する携帯端末の少なくとも該側面を覆うための携帯端末用カバーであって、
前記携帯端末に被着された際に前記側面に対して最外周に配置される可撓性を有する外周部と、
前記携帯端末に被着された際に前記外周部から、前記側面の少なくとも前記スライドスイッチに向かって突出し、該スライドスイッチの操作つまみを間に挟みこんで該スライドスイッチをスライド方向に移動可能とする可撓性を有する１対の操作片とを備えていることを特徴とする携帯端末用カバー。
【請求項２】
前記外周部は、前記１対の操作片の連結部に隣接する領域に、前記携帯端末の側面に向かって開口面積が大きくなる切り抜き部を備えていることを特徴とする請求項１に記載の携帯端末用カバー。
【請求項３】
前記携帯端末に被着された際に前記スライドスイッチに対応する位置に設けられ、前記１対の操作片が挿通する開口部をさらに備えていることを特徴とする請求項１又は２に記載の携帯端末用カバー。
【請求項４】
前記携帯端末に被着された際に前記側面に接触可能である平板部をさらに備えており、前記開口部が該平板部に設けられていることを特徴とする請求項３に記載の携帯端末用カバー。
【請求項５】
前記外周部は、台形断面形状の表面を有していることを特徴とする請求項１から４のいずれか１項に記載の携帯端末用カバー。
【発明の詳細な説明】
【技術分野】
【０００１】
本発明は、携帯電話、スマートフォン、タブレット端末、携帯情報端末、並びにメディアプレーヤ等の収容及び保護用として用いられる携帯端末用カバーに関する。
【背景技術】
【０００２】
従来、携帯電話、スマートフォン等の携帯端末用カバーとしては、剛性の高い材料、例えば金属や硬質樹脂等から製作されるハードカバーが一般的に利用されている。また、柔軟性の高い材料、例えばゴムや柔らかい樹脂から製作されるソフトカバーも存在する。
【０００３】
金属や硬質樹脂等から製作されるハードカバーの場合は、携帯端末のスライドスイッチ及び押しボタンに対応する部分は大きく開口しており、ユーザがスライドスイッチ及び押しボタンを直接に操作できるように構成されている。
【０００４】
ハードカバーの一例としては、特許文献１に記載されたものが知られている。特許文献１に係る携帯端末装置のカバーは、側面に押しボタンを有するスマートフォン用のものであり、ポリカーボネート等の硬質プラスチックから形成されている。カバーをスマートフォンに装着した状態では、本体がスマートフォンの少なくも背面の一部と両側面の一部とを覆うように構成されている。また、スマートフォンの表示部はカバーの前面開口から完全に露出し、上面の操作ボタンはカバーの上面に設けられた切欠き部から露出している。さらに、側面の操作ボタンはカバーの側面に設けられた長穴から露出し、また裏面のカメラレンズ、発光部はカバーの背板に設けられた穴から露出するように構成されている。
【０００５】
また、ソフトカバーの場合も、携帯端末のスライドスイッチに対応する部分は大きく開口しており、ユーザがスライドスイッチを直接に操作できるように構成されている。
【先行技術文献】
【特許文献】
【０００６】
【特許文献１】実用新案登録第３１６８０９０号公報
【発明の概要】
【発明が解決しようとする課題】
【０００７】
特許文献１に記載されているようなハードカバーは、携帯端末のスライドスイッチに対応する部分を大きく開口しなくてはならないので、ゴミ、ほこりが付着するという問題点があった。また、カバーに厚みがある場合はスライドスイッチの操作が困難になり、逆にあまり厚くできないため、デザイン及び形状の自由度が低くなるという問題点があった。
【０００８】
また、ソフトカバーは、ゴミ、ほこりが付着するという問題点もあった。さらに、手で持った際の操作性が悪い、感触が良好ではない、デザイン及び形状の自由度が低い、ストラップを取り付けできないという問題点があった。
【０００９】
従って、本発明の目的は、ハードカバーとソフトカバーとの中間の可撓性を有し、携帯端末のスライドスイッチの操作性を向上でき、かつデザインの自由度を向上した携帯端末用カバーを提供することにある。
【課題を解決するための手段】
【００１０】
本発明によれば、少なくとも側面にスライドスイッチを有する携帯端末の少なくとも側面を覆うための携帯端末用カバーは、携帯端末に被着された際に側面に対して最外周に配置される可撓性を有する外周部と、携帯端末に被着された際に外周部から、側面の少なくともスライドスイッチに向かって突出し、スライドスイッチの操作つまみを間に挟みこんでこのスライドスイッチをスライド方向に移動可能とする可撓性を有する１対の操作片とを備えている。なお、本明細書において、「側面」とは、対象を囲む６つ面のうちの「正面」及び「背面」以外の４つの面、即ち、２つの「横側面」、「上側面」及び「下側面」の少なくとも１つ又は全てを表している。
【００１１】
このように本発明の携帯端末用カバーによれば、最外周に配置される外周部が可撓性を有しており１対の操作片も可撓性を有しているため、外周部及び操作片が共に変形可能であり、これら操作片が外周部から携帯端末のスライドスイッチに向かって突出し、このスライドスイッチの操作つまみを間に挟みこんでスライド方向に移動可能であるため、外周部の必要部分を押圧することのみでスライドスイッチを確実にスライド操作することができる。その場合、スライドスイッチに対応する部分を大きく開口する必要がないので、スライドスイッチの付近にゴミ、ほこりの付着を抑制できる。また、外周部の表面から操作できるので、携帯端末用カバーの厚み、特に側面の厚みに対する制限をなくすことができ、デザインの自由度を向上することができる。従って、優れた操作性と、十分な強度と、手で持った際の良好な感触とを得るように設計することが可能となる。
【００１２】
外周部は、１対の操作片の連結部に隣接する領域に、携帯端末の側面に向かって開口面積が大きくなる切り抜き部を備えていることが好ましい。これにより、操作片の周り部分による利用者の操作を邪魔することなく、携帯端末のスライドスイッチをスムーズにかつ確実に操作することができる。
【００１３】
携帯端末に被着された際にスライドスイッチに対応する位置に設けられ、１対の操作片が挿通する開口部をさらに備えていることが好ましい。この場合、携帯端末に被着された際に側面に接触可能である平板部をさらに備えており、開口部が平板部に設けられていることがより好ましい。
【００１４】
外周部は、台形断面形状の表面を有していることも好ましい。
【発明の効果】
【００１５】
本発明の携帯端末用カバーによれば、外周部の必要部分を押圧することのみでスライドスイッチを確実にスライド操作することができる。その場合、スライドスイッチに対応する部分を大きく開口する必要がないので、スライドスイッチの付近にゴミ、ほこりの付着を抑制できる。また、外周部の表面から操作できるので、携帯端末用カバーの厚み、特に側面の厚みに対する制限をなくすことができ、デザインの自由度を向上することができる。従って、優れた操作性と、十分な強度と、手で持った際の良好な感触とを得るように設計することが可能となる。
【図面の簡単な説明】
【００１６】
【図１】本発明に係る携帯端末用カバーの一実施形態の構成を概略的に示す斜視図である。
【図２】図１の携帯端末用カバーの構成を示す平面図である。
【図３】図１の携帯端末用カバーの構成を示す断面図である。
【図４】図１の携帯端末用カバーの構成を示す局部断面図である。
【図５】図１の携帯端末用カバーのスライドスイッチ操作部の操作状態を示す局部断面図である。
【図６】本発明に係る携帯端末用カバーの他の実施形態の構成を概略的に示す平面図である。
【発明を実施するための形態】
【００１７】
以下、本発明に係る携帯端末用カバーの実施形態を、図を参照して説明する。ここでは、携帯端末の一例としてスマートフォンを用いている。
【００１８】
図１は本発明の一実施形態における携帯端末用カバー１００の構成を示している。図２はこの携帯端末用カバー１００の各面の形状を示しており、同図（ａ）は携帯端末用カバー１００の正面を示しており、（ｂ）は横側面を示しており、（ｃ）は上側面を示しており、（ｄ）は下側面を示している。図３は携帯端末用カバー１００の押しボタン及びスライドスイッチに対応する位置の内側の形状を示しており、同図（ａ）は横側面押しボタン操作部２０及びスライドスイッチ４０の内側の形状を示すＡ−Ａ線断面図であり、（ｂ）は上側面押しボタン操作部３０の内側の形状を示すＢ−Ｂ線断面図である。図４は携帯端末用カバーの構成を示す局部断面（拡大図）を示しており、同図（ａ）は横側面押しボタン操作部２０のＣ−Ｃ線断面を示しており、（ｂ）は横側面押しボタン操作部２０のＤ−Ｄ線断面を示しており、（ｃ）はスライドスイッチ操作部４０のＥ−Ｅ線断面を示している。
【００１９】
図１〜図４に示すように、本実施形態に係る携帯端末用カバー１００は、カバー本体１０と、このカバー本体１０の一部としての、横側面押しボタン操作部２０、上側面押しボタン操作部３０、スライドスイッチ操作部４０及び下側面開口部５０と備えている。
【００２０】
カバー本体１０は、携帯端末Ｐの側面の全周を囲むことにより、その内側に携帯端末Ｐを収容するためのものであり、可撓性樹脂材料を射出成形することにより形成されている。即ち、カバー本体１０は、携帯端末Ｐの左右の横側面、上側面及び下側面を囲む枠状に形成されている。可撓性樹脂材料として、本実施形態では、熱可塑性ポリウレタン（ＴＰＵ）を用いている。ここで用いた熱可塑性ポリウレタンは、ゴムと硬質樹脂との中間の弾性を有している。また、カバー本体１０の外表面全体の平面形状は、略四角形であり、両横側面表面の平面形状は中央部でくびれた曲線形状、即ち、上下両端部が中央部より幅広に形成されている。カバー本体１０の内表面は、携帯端末Ｐの外形と合致する形状とされ、携帯端末Ｐを着脱可能に収容することができる。また、カバー本体１０の表面は、台形断面形状を有している。
【００２１】
横側面押しボタン操作部２０は、被着すべき携帯端末Ｐの横側面に設けられた２つの押しボタンが比較的小さい間隔で設けられている場合に対応するものである。この横側面押しボタン操作部２０は、携帯端末用カバー１００が携帯端末Ｐに被着された際に、携帯端末Ｐの押しボタンＢ１及びＢ２に接触可能であり、これら押しボタンＢ１及びＢ２とその周辺領域とを覆うための可撓性を有する平板部２１と、携帯端末用カバー１００が携帯端末Ｐに被着された際に、携帯端末Ｐの横側面に対して最外周に配置される可撓性を有する外周部２２と、携帯端末用カバー１００が携帯端末Ｐに被着された際に、押しボタンＢ１及びＢ２に対応する位置に配置され、外周部２２の内面と平板部２１の外面とを一体的に連結する押力伝達部２３とを備えている。この押力伝達部２３は、外周部２２の内面から平板部２１の外面に向かって幅が狭くなる角錐台形状を有している。押力伝達部２３が角錐台形状に形成されていることにより、操作する際に、押しボタンＢ１及びＢ２へ押力を集中する効果が得られる。
【００２２】
横側面押しボタン操作部２０の平板部２１の内面に凹部２４が形成されており、この凹部２４の押力伝達部２３に対応する位置に押しボタンＢ１及びＢ２の形状（本実施形態では円形状）に対応する２つの短円柱状の突起部２５が設けられている。突起部２５内には、携帯端末カバー１００とは別個に形成された硬質材料部材が設けられている場合もある。
【００２３】
押力伝達部２３の周囲には、平板部２１に略垂直であり、外周部２２の内面と平板部２１の外面との間の隙間を覆う薄壁２６が形成されている。薄壁２６の厚さは、カバー本体１０の厚さ方向における押力伝達部２３の厚みより薄く形成されている。これにより、押力伝達部２３の強度及び安定性を確保すると共に、射出成形加工が容易にできる。
【００２４】
上側面押しボタン操作部３０は、携帯端末用カバー１００が携帯端末Ｐに被着された際に、携帯端末Ｐの押しボタンＢ３に接触可能であり、この押しボタンＢ３とその周辺領域とを覆うための可撓性を有する平板部３１と、携帯端末用カバー１００が携帯端末Ｐに被着された際に、携帯端末Ｐの上側面に対して最外周に配置される可撓性を有する外周部３２と、携帯端末用カバー１００が携帯端末Ｐに被着された際に、押しボタンＢ３に対応する位置に配置され、外周部３２の内面と平板部３１の外面とを一体的に連結する押力伝達部３３とを備えている。この押力伝達部３３は、外周部３２の内面から平板部３１の外面に向かって幅が狭くなる角錐台形状を有している。押力伝達部３３が角錐台形状に形成されていることにより、操作する際に、押しボタンＢ３へ押力を集中する効果が得られる。
【００２５】
上側面押しボタン操作部３０の平板部３１の内面に凹部３４が形成されており、この凹部３４の押力伝達部３３に対応する位置に押しボタンＢ３の形状（本実施形態では長円形状）に対応する形状の短柱状の突起部３５が設けられている。突起部３５内には、携帯端末カバー１００とは別個に形成された硬質材料部材が設けられている場合もある。
【００２６】
押力伝達部３３の周囲には、平板部３１に略垂直であり、外周部３２の内面と平板部３１の外面との間の隙間を覆う薄壁３６が形成されている。薄壁３６の厚さは、カバー本体１０の厚さ方向における押力伝達部３３の厚みより薄く形成されている。これにより、押力伝達部３３の強度及び安定性を確保すると共に、射出成形加工が容易にできる。
【００２７】
スライドスイッチ操作部４０は、携帯端末用カバー１００が携帯端末Ｐに被着された際に、携帯端末Ｐの横側面に対して最外周に配置される可撓性を有する外周部４１と、携帯端末用カバー１００が携帯端末Ｐに被着された際に外周部４１から横側面のスライドスイッチＳに向かって突出し、スライドスイッチＳの操作つまみを間に挟みこむことが可能であり、このスライドスイッチＳをスライド方向に移動することができる可撓性を有する１対の操作片４２ａ及び４２ｂとを備えている。
【００２８】
また、スライドスイッチ操作部４０は、携帯端末用カバー１００が携帯端末Ｐに被着された際にその横側面に接触可能でありスライドスイッチＳの周辺領域を覆うための平板部４３ａをさらに備えている。この平板部４３ａの携帯端末ＰのスライドスイッチＳに対応する位置には、１対の操作片４２ａ及び４２ｂが挿通し、スライドスイッチＳの操作つまみが挿通可能な開口部４３が設けられている。
【００２９】
１対の操作片４２ａ及び４２ｂの連結部における外周部４１の表面には、操作者の指による押圧部４２ａ’及び４２ｂ’が設けられている。これら押圧部４２ａ’及び４２ｂ’は、外周部４１のこれに隣接する表面と同一高さに位置するように形成されている。なお、これら押圧部４２ａ’及び４２ｂ’が外周部４１のこれに隣接する表面より高く、即ち外部に突出するように形成されてもよい。また、操作片４２ａ及び４２ｂの連結部に隣接する領域には、携帯端末Ｐの横側面（スライドスイッチＳ）に向かって広がる（開口面積が大きくなる）ように形成された切り抜き部４４ａ及び４４ｂが設けられている。携帯端末Ｐに被着される際に、携帯端末ＰのスライドスイッチＳの操作つまみは、開口部４３を挿通し露出され、操作片４２ａと４２ｂとの間に位置する。操作片４２ａ又は４２ｂをスライドスイッチＳのスライド方向に押すことで、スライドスイッチＳの操作つまみが押圧されて移動し、スイッチ操作が行われることとなる。
【００３０】
下側面開口部５０は、略長円孔であり、携帯端末Ｐの下側端部に設けられたスピーカ、充電／通信用コネクタ接続部、及びヘッドフォン挿入孔を露出させるために設けられている。なお、この下側面開口部５０の形状は、長円孔に限定されるものではなく、例えば矩形孔等の形状に形成されてもよい。また、携帯端末Ｐの開口の位置は、スピーカ、充電／通信用コネクタ接続部、及びヘッドフォン挿入孔等の配置位置に合わせて、他の位置に設けてもよいし、複数の開口部を設けてもよい。
【００３１】
このような構成の携帯端末用カバー１００を被着した携帯端末ＰのスライドスイッチＳを操作する場合、図５（ａ）及び（ｂ）に示すように、指Ｆでスライドスイッチ操作部４０の操作片４２ａ又は４２ｂの押圧部４２ａ’及び４２ｂ’を矢印方向に押すことによって、操作片４２ａ又は４２ｂが押された方向に変形する。これにより、１対の操作片４２ａ及び４２ｂ間に挟まれたスライドスイッチＳの操作つまみが押圧されてスライドする。その結果、スライドスイッチＳが操作される。
【００３２】
また、携帯端末Ｐの押しボタンＢ１、Ｂ２又はＢ３を操作する場合、押しボタンＢ１、Ｂ２又はＢ３に対応する位置（横側面押しボタン操作部２０又は上側面押しボタン操作部３０）のカバー本体１０の外周部２２又は３２を押すことによってこの位置の外周部２２又は３２が変形し、押力が押力伝達部２３又は３３を介して平板部２１又は３１及び突起部２５又は３５に伝達され、平板部２１又は３１が変形することにより突起部２５又は３５が押しボタンＢ１、Ｂ２又はＢ３を押圧することとなる。その結果、押しボタンＢ１、Ｂ２又はＢ３が操作される。
【００３３】
以上説明したように、本実施形態の携帯端末用カバー１００は、携帯端末Ｐに被着された際に、最外周に配置される外周部２２が可撓性を有しており１対の操作片４２ａ及び４２ｂも可撓性を有しているため、外周部２２及び操作片４２ａ及び４２ｂが共に変形可能であり、これら操作片４２ａ及び４２ｂが外周部２２から携帯端末ＰのスライドスイッチＳに向かって突出し、このスライドスイッチＳの操作つまみを間に挟みこんでスライド方向に移動可能であるため、外周部２２の必要部分を押圧することのみでスライドスイッチＳを確実にスライド操作することができる。その場合、スライドスイッチＳに対応する部分を大きく開口する必要がないので、スライドスイッチＳの付近にゴミ、ほこりの付着を抑制できる。また、外周部２２の表面から操作できるので、携帯端末用カバー１００の厚み、特に側面の厚みに対する制限をなくすことができ、デザインの自由度を向上することができる。従って、優れた操作性と、十分な強度と、手で持った際の良好な感触とを得るように設計することが可能となる。
【００３４】
また、本実施形態によれば、１対の操作片４２ａ及び４２ｂの連結部における外周部４１の表面に設けられている押圧部４２ａ’及び４２ｂ’が、外周部４１のこれに隣接する表面と同一高さ又はこれより高くなるように形成されていることにより、押圧部４２ａ’又は４２ｂ’を押し易くなり、携帯端末ＰのスライドスイッチＳを容易にかつ確実に操作することができる。
【００３５】
さらにまた、本実施形態によれば、操作片４２ａ及び４２ｂの連結部に隣接する領域に、スライドスイッチＳに向かって広がる（開口面積が大きくなる）ように形成された切り抜き部４４ａ及び４４ｂが設けられているため、操作片４２ａ及び４２ｂの動きがスムーズとなり、携帯端末ＰのスライドスイッチＳをスムーズにかつ確実に操作することができる。
【００３６】
さらに、本実施形態によれば、スライドスイッチＳの周辺領域を覆うための平板部４３ａが設けられ、この平板部４３ａの携帯端末ＰのスライドスイッチＳに対応する位置に１対の操作片４２ａ及び４２ｂが挿通し、スライドスイッチＳの操作つまみが挿通可能な開口部４３が設けられているため、スライドスイッチＳの付近に付着するゴミやほこりの量を減少させることができる。
【００３７】
さらに、本実施形態によれば、携帯端末用カバー１００自体がハードカバーとソフトカバーとの中間の可撓性を有しているため、優れた操作性を有しつつ十分な強度を有しており、手で持った際の感触も良好である。
【００３８】
図６は本発明に係る携帯端末用カバーの他の実施形態の構成を示している。同図に示すように、本実施形態に係る携帯端末用カバー１００Ａは、カバー本体１０Ａと、このカバー本体１０Ａの一部としての、横側面押しボタン操作部２０、上側面押しボタン操作部３０、スライドスイッチ操作部４０及び下側面開口部５０と備えている。
【００３９】
本実施形態の携帯端末用カバー１００Ａにおいて、横側面押しボタン操作部２０、上側面押しボタン操作部３０、スライドスイッチ操作部４０、及び下側面開口部５０の構成は、前述した図１〜図５の実施形態の携帯端末用カバー１００の構成と同様であるため、詳細な説明を省略する。
【００４０】
本実施形態におけるカバー本体１０Ａは、携帯端末Ｐの側面の全周及び背面を囲むことにより、その内側に携帯端末Ｐを収容するためのものであり、可撓性樹脂材料を射出成形することにより形成されている。即ち、カバー本体１０Ａは、携帯端末Ｐの左右の横側面、上側面及び下側面を囲む枠と一体に形成された背板１１を有している。背板１１の図にて右上にはカメラレンズ及び発光部を露出する開口１２が形成されている。可撓性樹脂材料として、本実施形態では、熱可塑性ポリウレタン（ＴＰＵ）を用いている。また、カバー本体１０Ａの外表面全体の平面形状は、略四角形であり、両横側面表面の平面形状は中央部でくびれた曲線形状、即ち、上下両端部が中央部より幅広に形成されている。カバー本体１０Ａの内表面は、携帯端末Ｐの外形と合致する形状とされ、携帯端末Ｐを着脱可能に収容することができる。また、カバー本体１０Ａの枠部分の表面は、台形断面形状を有している。
【００４１】
本実施形態の携帯端末用カバー１００Ａによれば、背板１１を有しているため、携帯端末Ｐの背面をも保護することができる。本実施形態における携帯端末用カバー１００Ａのその他の作用効果は、前述した図１〜図５の実施形態における携帯端末用カバー１００の場合と同様である。
【００４２】
以上述べた実施形態の携帯端末用カバー１００又は１００Ａにおいては、携帯端末Ｐの厚さ方向にスライドするスライドスイッチＳについて説明したが、本発明はこれに限定されるものではなく、携帯端末Ｐの側面の長さ方向にスライドするスライドスイッチについても本発明を適用することができる。
【００４３】
また、以上述べた実施形態の携帯端末用カバー１００又は１００Ａにおいては、カバー本体１０又は１０Ａの外表面全体の平面形状が略四角形であり、両横側面表面の平面形状は中央部でくびれた曲線形状、即ち、上下両端部が中央部より幅広に形成されているが、本発明はこれに限定されるものではない。カバー本体１０又は１０Ａの外形形状は、任意の形状に設計することができる。
【００４４】
さらに、以上述べた実施形態の携帯端末用カバー１００又は１００Ａは、スマートフォン用カバーを例として説明したが、本発明はこれに限定されるものではない。例えば、携帯電話、タブレット端末、携帯情報端末、及びメディアプレーヤ等のカバーとしても本発明を適用することができる。
【００４５】
さらにまた、以上述べた実施形態の携帯端末用カバー１００又は１００Ａにおいて、横側面押しボタン操作部２０及び上側面押しボタン操作部３０は、携帯端末Ｐの側面にある押しボタンＢ１、Ｂ２及びＢ３を操作するためのものであるが、本発明はこれに限定されるものではない。例えば、携帯端末の前面又は背面の押しボタンにも本発明を適用することができる。
【００４６】
さらに、以上述べた実施形態の携帯端末用カバー１００又は１００Ａにおいて、可撓性樹脂材料として、熱可塑性ポリウレタンを用いた例を説明したが、本発明はこれに限定されるものではない。
【００４７】
さらにまた、以上述べた実施形態の携帯端末用カバー１００又は１００Ａにおいては、突起部２５及び３５がカバー本体１０又は１０Ａと一体的に形成される例を説明したが、本発明はこれに限定されるものではなく、突起部２５及び３５を硬質材料により別個に形成し、接着等で固着するようにしてもよい。この場合、突起部がカバー本体成形後に取り付けられるのでカバー本体自体の形成が容易になる。また、携帯端末の押しボタンにより的確に応力を伝達することが可能となるので、押しボタン操作性が向上する。なお、突起部２５及び３５を設けなくてもよい。
【００４８】
本発明は、上記の実施形態に限定されるものでなく、特許請求の範囲に記載された発明の要旨を逸脱しない範囲内での種々、設計変更した形態を技術的範囲に含むものである。
【産業上の利用可能性】
【００４９】
本発明は、携帯電話、スマートフォン、タブレット端末、携帯情報端末、並びにメディアプレーヤ等に用いられる携帯端末用カバーの操作性及びデザイン性を向上する目的に利用できる。
【符号の説明】
【００５０】
１０、１０Ａ  カバー本体
１１  背板
１２  開口
２０  横側面押しボタン操作部
２１、３１、４３ａ  平板部
２２、３２、４１  外周部
２３、３３  押力伝達部
２４、３４  凹部
２５、３５  突起部
２６、３６  薄壁
３０  上側面押しボタン操作部
４０  スライドスイッチ操作部
４２ａ、４２ｂ  操作片
４２ａ’、４２ｂ’  押圧部
４３  開口部
４４ａ、４４ｂ  切り抜き部
５０  下側面開口部
１００、１００Ａ  携帯端末用カバー
Ｂ１、Ｂ２、Ｂ３  押しボタン
Ｆ  指
Ｐ  携帯端末
Ｓ  スライドスイッチ
【図１】
2014107576.tif 000003
【図２】
2014107576.tif 000004
【図３】
2014107576.tif 000005
【図４】
2014107576.tif 000006
【図５】
2014107576.tif 000007
【図６】
2014107576.tif 000008